【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
衝撃部を含む打撃装置の１作動サイクルを制御する制御弁であって、
空間をその中に含むフレームと、
前記空間へ連結された少なくとも２つの圧力媒体流路と、
前記フレームにおける前記空間に配設された細長い部品であり、かつ第１の制御方向および第２の制御方向において長手方向に移動可能である制御部であって、さらに該制御部をその作動サイクルによって前後に移動させる場合、配設されて前記圧力媒体流路を開閉する該制御部とを含む制御弁において、
該制御弁の作動サイクルは、複数の連結モーメントを含んで、前記圧力媒体流路を開閉し、
該制御弁の第１の最端位置から第２の最端位置までとその戻りとの１作動サイクルが配設されて前記打撃装置において少なくとも２つの衝撃パルスを生成することを特徴とする制御弁。
【請求項２】
請求項１に記載の制御弁において、
該制御弁は、外周および内周を含む細長いスリーブであり、
該制御弁は、少なくとも１つの第１の作動圧力空間および少なくとも１つの第２の作動圧力空間を含み、
該制御弁は、第１の制御圧流路を含んで、前記制御部がその方向を変えた場合、圧力媒体を第１の作動圧力空間へ供給し、
該制御弁は、第２の制御圧流路を含んで、前記制御部がその方向を変えた場合、圧力媒体を第２の作動圧力空間へ供給し、
該制御弁は、第１の作動圧力空間で有効な圧力媒体の影響のために、配設されて第１の制御方向において前記制御部を移動させる少なくとも１つの第１の作動正圧面を含み、
該制御弁は、第２の作動圧力空間で有効な圧力媒体の影響のために、配設されて第２の制御方向において前記制御部を移動させる少なくとも１つの第２の作動正圧面を含み、
前記作動圧力空間は、フレームの空間で前記制御部の周囲に設けられることを特徴とする制御弁。
【請求項３】
請求項１に記載の制御弁において、前記制御部は、外部からの機械的な作動力を該制御部へもたらす少なくとも１つの連結部を含むことを特徴とする制御弁。
【請求項４】
請求項１ないし３のいずれかに記載の制御弁において、連結モーメントで連結される開口部のサイズを決めて、作動サイクル中に、各連結モーメントにおいて、該連結モーメントにおける前記制御部の速度に拘らず、前記開口部が実質的に同じ時間連結されることを特徴とする制御弁。
【請求項５】
請求項１ないし４のいずれかに記載の制御弁において、前記連結モーメントで連結される前記開口部の位置を決めて、作動サイクル中に、連続する開口モーメント間の時間差を実質的に一定にすることを特徴とする制御弁。
【請求項６】
請求項１ないし５のいずれかに記載の制御弁において、
該制御弁は、少なくとも２つの平行な圧力媒体流路を含み、そこで圧力媒体の流れの方向が同じであり、
１つの制御方向における前記制御部の移動が配設されて前記平行圧力媒体流路から該制御弁を介して連結部を実質的に同時に開くことを特徴とする制御弁。
【請求項７】
請求項１ないし６のいずれかに記載の制御弁において、該制御弁の第１の最端位置から第２の最端位置までとその戻りとの１作動サイクルが配設されて前記打撃装置において４つの衝撃パルスを生成することを特徴とする制御弁。
【請求項８】
請求項１ないし６のいずれかに記載の制御弁において、該制御弁の第１の最端位置から第２の最端位置までとその戻りとの１作動サイクルが配設されて前記打撃装置において６つの衝撃パルスを生成することを特徴とする制御弁。
【請求項９】
打撃装置の作動サイクルの制御方法であって、
圧力媒体の圧力を打撃装置における衝撃部の少なくとも１つの作動正圧面へ搬送して衝撃パルスを生成し、
少なくともフレームおよび制御部を含む、少なくとも１つの制御弁を用いて前記圧力媒体を制御し、
前記制御部をその作動サイクルによって第１の制御方向および第２の制御方向において長手方向に移動させ、
前記打撃装置へ通じる圧力媒体流路を前記制御部の作動サイクルによって開閉することを含む制御方法において、該方法は、
前記制御弁の作動サイクル中に複数の連結モーメントにおいて前記圧力媒体流路を開閉し、
前記打撃装置において前記制御弁の１作動サイクルごとに複数の衝撃パルスを生成することを特徴とする制御方法。
【請求項１０】
請求項９に記載の制御方法において、前記圧力媒体を前記制御部の作動正圧面へ搬送することによって前記制御部を移動することを特徴とする制御方法。
【請求項１１】
請求項９に記載の制御方法において、クランク機構によって前記制御部を移動することを特徴とする制御方法。
【請求項１２】
請求項１１に記載の制御方法において、前記クランク機構の速度を調節することによって前記打撃装置の衝撃周波数を調節することを特徴とする制御方法。
【請求項１３】
請求項９ないし１２のいずれかに記載の制御方法において、前記打撃装置において前記制御弁の１作動サイクルごとに２つの衝撃パルスを生成することを特徴とする制御方法。
【請求項１４】
請求項９ないし１２のいずれかに記載の制御方法において、前記打撃装置において前記制御弁の１作動サイクルごとに４つの衝撃パルスを生成することを特徴とする制御方法。
【請求項１５】
請求項９ないし１２のいずれかに記載の制御方法において、前記打撃装置において前記制御弁の１作動サイクルごとに６つの衝撃パルスを生成することを特徴とする制御方法。
【請求項１６】
請求項９ないし１５のいずれかに記載の制御方法において、少なくとも２つの平行な圧力媒体の流れを前記制御弁を介して搬送し、同一方向に流れる圧力媒体の流れを前記衝撃部の少なくとも１つの作動正圧面へ搬送して、衝撃パルスを生成することを特徴とする制御方法。
【請求項１７】
請求項９ないし１５のいずれかに記載の制御方法において、少なくとも２つの平行な圧力媒体の流れを前記衝撃部の少なくとも１つの作動正圧面から離して搬送して、衝撃パルスを生成することを特徴とする制御方法。
【請求項１８】
砕岩用打撃装置であって、少なくとも、
フレームと、
該フレーム内に設けた空間に配設され、少なくとも１つの圧力媒体流路へ連結された少なくとも１つの第１の作動正圧面を含んで、作動正圧面に向ける圧力媒体の圧力に作用することによって、衝撃部が配設されて衝撃パルスを生成する該衝撃部と、
長手方向に可動の制御部を含み、該制御部が配設されて前記衝撃部へ通じる少なくとも１つの圧力媒体流路の圧力媒体の供給に作用する少なくとも１つの制御弁を含む打撃装置において、
前記制御弁の作動サイクルは、複数の連結モーメントを含んで、前記圧力媒体流路を開閉し、
前記制御弁の第１の最端位置から第２の最端位置までとその戻りとの１作動サイクルが配設されて該打撃装置において少なくとも２つの衝撃パルスを生成することを特徴とする打撃装置。
【請求項１９】
請求項１８に記載の打撃装置において、
前記制御弁は、作動正圧面を設けたスリーブ状制御部を含み、
前記作動正圧面に対して有効な圧力媒体の影響のために、前記制御部が配設されて制御方向に移動すること特徴とする打撃装置。
【請求項２０】
請求項１８に記載の打撃装置において、前記制御部は、配設されてクランク機構によって移動することを特徴とする打撃装置。
【請求項２１】
請求項２０に記載の打撃装置において、該打撃装置の衝撃周波数が配設されて前記クランク機構の速度を調節することによって調節されることを特徴とする打撃装置。
【請求項２２】
請求項１８ないし２１のいずれかに記載の打撃装置において、
前記制御弁は、少なくとも２つの平行な圧力媒体流路を含み、その方向において、圧力媒体の流れが同一であり、
１つの制御方向における前記制御部の移動が配設されて前記平行圧力媒体流路から前記制御弁を介して連結部を実質的に同時に開くことを特徴とする打撃装置。
【請求項２３】
請求項１８ないし２２のいずれかに記載の打撃装置において、前記制御弁の第１の最端位置から第２の最端位置までとその戻りとの１作動サイクルが配設されて該打撃装置において４つの衝撃パルスを生成することを特徴とする打撃装置。
【請求項２４】
請求項１８ないし２２のいずれかに記載の打撃装置において、前記制御弁の第１の最端位置から第２の最端位置までとその戻りとの１作動サイクルが配設されて該打撃装置において６つの衝撃パルスを生成することを特徴とする打撃装置。
【請求項２５】
請求項１８ないし２４のいずれかに記載の打撃装置において、
前記衝撃部は、圧縮バーであり、
前記衝撃部は、前記作動正圧面へ搬送される圧力媒体の影響のために、配設されて該打撃装置のフレームに対して押して、前記衝撃部が配設されて長手方向に圧縮し、
前記制御弁は、配設されて前記作動正圧面に作用する前記圧力媒体を迅速に排出して、前記衝撃部がその元の長さに戻って、衝撃パルスを生成することを特徴とする打撃装置。